(57)【特許請求の範囲】
【請求項１】
ネットワークに接続された、プロトコルの異なる複数の宛先にそれぞれ対応する機器へデータを送信するネットワーク同報送信装置であって、
データを同報的に送信する複数の宛先にそれぞれ対応する宛先の情報とプロトコルの情報とを含む複数の宛先情報を有する同報宛先情報を設定するための宛先情報設定手段と、
前記データを前記複数の宛先にそれぞれ対応する機器へ、それぞれ対応するプロトコルで送信する手段であって、ファイル共有プロトコルに対応した機器へファイル共有プロトコルで前記データを送信する場合に、前記同報宛先情報を含むログファイルを前記データと共に送信するデータ送信手段と、
前記データに対する返信用のデータを指定するためのデータ指定情報と、前記ログファイルに含まれる同報宛先情報に含まれる複数の宛先情報から選択することにより生成され、前記返信用のデータを返信するための返信宛先の情報とプロトコルの情報とを含む同報返信宛先情報とを含む前記ネットワークに接続された前記機器からの同報返信要求を受付ける受付手段とを備え、
前記データ送信手段は、前記受付手段が前記同報返信要求を受付けた場合、前記同報返信宛先情報に基づいて、前記返信宛先の情報に対応する機器へ前記返信用のデータを前記プロトコルの情報に対応するプロトコルを使用して返信することを特徴とする、ネットワーク同報送信装置。
【請求項２】
前記ファイル共有プロトコルは、ＳＭＢ（Server Message Block）プロトコルである、請求項１に記載のネットワーク同報送信装置。
【請求項３】
前記データ送信手段は、前記複数の機器のうち電子メール送受信機能を有する機器へ、前記データを電子メールで送信することを特徴とする、請求項１に記載のネットワーク同報送信装置。
【請求項４】
前記データ送信手段は、ファクシミリおよびプリンタを含む印刷装置に対して画像データを送信する、請求項１に記載のネットワーク同報送信装置。
【請求項５】
前記データ送信手段は、電子メールアドレス、インターネットファクシミリ端末、ファクシミリ端末、ＳＭＢ共有フォルダ、およびＦＴＰ（File Transfer Protocol）サーバの少なくとも１つに対してデータを送信する、請求項１に記載のネットワーク同報送信装置。
【請求項６】
前記同報宛先情報は、前記データ送信手段で同報的に送信した宛先についての送信プロトコルと送信アドレスとを含む、請求項１に記載のネットワーク同報送信装置。
【請求項７】
前記データ送信手段は、
前記データ送信手段で送信した全ての前記同報送信宛先についての送信プロトコルと送信アドレスとを含む前記同報宛先情報と、
前記データ送信手段で送信する前記データを含む同報送信ファイルのファイル名と、
前記データ送信手段で送信を行なう送信日時と、
当該装置のアドレスとを送信する、請求項１に記載のネットワーク同報送信装置。
【請求項８】
前記データ送信手段は、前記同報宛先情報に基づき、前記データ送信時の前記対応するプロトコルと同じプロトコルで、前記同報返信要求で指定されたデータを返信する、請求項１に記載のネットワーク同報送信装置。
【請求項９】
前記受付手段で受付ける前記同報返信要求に含まれる同報返信宛先情報には、前記同報送信宛先の中から選択された前記同報返信宛先が含まれることを特徴とする、請求項１に記載のネットワーク同報送信装置。
【請求項１０】
前記受付手段は、前記ネットワークを介して接続された機器のブラウザで、ＨＴＴＰ（Hypertext Transfer Protocol）を含むプロトコルを用いて前記ネットワーク同報送信装置にアクセスすることにより行なわれた同報返信要求を受付けることを特徴とする、請求項１または８に記載のネットワーク同報送信装置。
【請求項１１】
ＷＷＷ（World Wide Web）サーバを含むサーバ機能をさらに備え、
前記サーバ機能は、前記同報宛先情報に基づき、前記ブラウザに前記同報宛先を表示する宛先表示手段を備える、請求項１０に記載のネットワーク同報送信装置。
【請求項１２】
ネットワークに接続された、プロトコルの異なる複数の宛先にそれぞれ対応する機器へデータを送信するネットワーク同報送信装置であって、
データを同報的に送信する複数の宛先にそれぞれ対応する宛先の情報とプロトコルを含む複数の宛先情報を含む同報宛先情報を設定するための宛先情報設定手段と、
前記データを前記複数の宛先にそれぞれ対応する機器へ、それぞれ対応するプロトコルで送信する手段であって、ファイル共有プロトコルに対応した機器へファイル共有プロトコルで前記データを送信する場合に、前記同報宛先情報を含むログファイルを前記データと共に送信するデータ送信手段と、
前記データに対する返信用のデータを指定するためのデータ指定情報と、前記ログファイルに含まれる同報宛先情報に含まれる複数の宛先情報から選択することにより生成され、前記返信用のデータを返信するための返信宛先とプロトコルを含む前記ネットワークに接続された前記機器からの同報返信宛先情報とを含む、同報返信要求を受付ける受付手段と、
前記データ送信手段は、前記受付手段が前記同報返信要求を受付けた場合、前記同報返信宛先情報に基づいて、複数の機器へ前記指定されたデータをそれぞれ対応するプロトコルを使用して返信することを特徴とする、ネットワーク同報送信装置。
【請求項１３】
前記データ送信手段は、前記記憶手段のＳＭＢ共有フォルダに前記データを記憶させることを特徴とする、請求項１２に記載のネットワーク同報送信装置。
【請求項１４】
前記受付手段は、前記同報返信要求を電子メールで受信することにより受付けることを特徴とする、請求項１３に記載のネットワーク同報送信装置。
【請求項１５】
前記データ送信手段は、前記電子メールに指定されたフォルダに保存された前記データを返信する、請求項１４に記載のネットワーク同報送信装置。
【請求項１６】
前記データ送信手段は、
宛先が電子メールアドレスに変換された前記同報宛先情報を前記ファイル共有プロトコルに対応した機器へ電子メールで送信し、
前記受付手段は、宛先が電子メールアドレスに変換された前記同報返信宛先情報を含む前記同報返信要求を受付け、
前記データ送信手段は、前記電子メールアドレスに基づいて、複数の機器へ前記指定されたデータをそれぞれ対応するプロトコルを使用して返信することを特徴とする、請求項１２に記載のネットワーク同報送信装置。
【請求項１７】
異なるプロトコルをサポートするサーバ機能をさらに備える、請求項１〜１６のいずれかに記載のネットワーク同報送信装置。
【請求項１８】
ネットワークに接続された、プロトコルの異なる複数の宛先にそれぞれ対応する機器へデータを送信するネットワーク同報送信装置であって、
データを同報的に送信する複数の宛先にそれぞれ対応する、プロトコルに応じた複数の宛先情報を有する同報宛先情報を設定するための宛先情報設定手段と、
前記データを前記複数の宛先にそれぞれ対応する機器へ、それぞれ対応するプロトコルで送信する手段であって、ファイル共有プロトコルに対応した機器へファイル共有プロトコルで前記データを送信する場合に、前記同報宛先情報を含むログファイルを前記データと共に送信するデータ送信手段と、
前記データに対する返信用のデータを指定するためのデータ指定情報と、前記ログファイルに含まれる同報宛先情報に含まれる複数の宛先から選択することにより生成され、前記返信用のデータを返信するためのプロトコルに応じた返信宛先を含む同報返信宛先情報とを含む前記ネットワークに接続された前記機器からの同報返信要求を受付ける受付手段とを備え、
前記データ送信手段は、前記受付手段が前記同報返信要求を受付けた場合、前記同報返信宛先情報に基づいて、前記返信宛先に対応する機器へ前記返信用のデータを前記返信宛先に対応するプロトコルを使用して返信することを特徴とする、ネットワーク同報送信装置。
【請求項１９】
ネットワークに接続された、プロトコルの異なる複数の宛先にそれぞれ対応する機器へネットワーク同報送信装置がデータを送信するネットワーク同報送信方法であって、
データを同報的に送信する複数の宛先にそれぞれ対応する宛先の情報とプロトコルの情報とを含む複数の宛先情報を有する同報宛先情報を設定するための宛先情報設定ステップと、
前記データを前記複数の宛先にそれぞれ対応する機器へ、それぞれ対応するプロトコルで前記ネットワーク同報送信装置が送信するステップであって、ファイル共有プロトコルに対応した機器へファイル共有プロトコルで前記データを送信する場合に、前記ネットワーク同報送信装置前記同報宛先情報を含むログファイルを前記データと共に前記ネットワーク同報送信装置が送信するデータ送信ステップと、
前記データに対する返信用のデータを指定するためのデータ指定情報と、前記ログファイルに含まれる同報宛先情報に含まれる複数の宛先情報から選択することにより生成され、前記返信用のデータを返信するための返信宛先の情報とプロトコルの情報とを含む同報返信宛先情報とを含む前記ネットワークに接続された前記機器からの同報返信要求を前記ネットワーク同報送信装置が受付ける受付ステップとを備え、
前記データ送信ステップは、前記受付ステップが前記同報返信要求を受付けた場合、前記同報返信宛先情報に基づいて、前記返信宛先の情報に対応する機器へ前記返信用のデータを前記プロトコルの情報に対応するプロトコルを使用して前記ネットワーク同報送信装置が返信することを特徴とする、ネットワーク同報送信方法。
【請求項２０】
ネットワークに接続された、プロトコルの異なる複数の宛先にそれぞれ対応する機器へデータを送信するネットワーク同報送信プログラムであって、
データを同報的に送信する複数の宛先にそれぞれ対応する宛先の情報とプロトコルの情報とを含む複数の宛先情報を有する同報宛先情報を設定するための宛先情報設定ステップと、
前記データを前記複数の宛先にそれぞれ対応する機器へ、それぞれ対応するプロトコルで送信するステップであって、ファイル共有プロトコルに対応した機器へファイル共有プロトコルで前記データを送信する場合に、前記同報宛先情報を含むログファイルを前記データと共に送信するデータ送信ステップと、
前記データに対する返信用のデータを指定するためのデータ指定情報と、前記ログファイルに含まれる同報宛先情報に含まれる複数の宛先情報から選択することにより生成され、前記返信用のデータを返信するための返信宛先の情報とプロトコルの情報とを含む同報返信宛先情報とを含む前記ネットワークに接続された前記機器からの同報返信要求を受付ける受付ステップとをコンピュータに実行させ、
前記データ送信ステップは、前記受付ステップが前記同報返信要求を受付けた場合、前記同報返信宛先情報に基づいて、前記返信宛先の情報に対応する機器へ前記返信用のデータを前記プロトコルの情報に対応するプロトコルを使用して返信することを特徴とする、ネットワーク同報送信プログラム。
【請求項２１】
前記ファイル共有プロトコルは、ＳＭＢプロトコルである、請求項２０に記載のネットワーク同報送信プログラム。
【請求項２２】
前記データ送信ステップは、前記複数の機器のうち電子メール送受信機能を有する機器へ、前記データを電子メールで前記データを送信することを特徴とする、請求項２０に記載のネットワーク同報送信プログラム。
【請求項２３】
前記データ送信ステップは、ファクシミリおよびプリンタを含む印刷装置に対して画像データを送信する、請求項２０に記載のネットワーク同報送信プログラム。
【請求項２４】
前記データ送信ステップは、電子メールアドレス、インターネットファクシミリ端末、ファクシミリ端末、ＳＭＢ共有フォルダ、およびＦＴＰ（File Transfer Protocol）サーバの少なくとも１つに対してデータを送信する、請求項２０に記載のネットワーク同報送信プログラム。
【請求項２５】
前記同報宛先情報は、前記データ送信ステップで同報的に送信した宛先についての送信プロトコルと送信アドレスとを含む、請求項２０に記載のネットワーク同報送信プログラム。
【請求項２６】
前記データ送信ステップは、
前記データ送信ステップで送信した全ての前記同報送信宛先についての送信プロトコルと送信アドレスとを含む前記同報宛先情報と、
前記データ送信ステップで送信する前記データを含む同報送信ファイルのファイル名と、
前記データ送信ステップで送信を行なう送信日時と、
ネットワーク同報送信装置のアドレスとを送信する、請求項２０に記載のネットワーク同報送信プログラム。
【請求項２７】
前記データ送信ステップは、前記同報宛先情報に基づき、前記データ送信時の前記対応するプロトコルと同じプロトコルで、前記同報返信要求で指定されたデータを返信する、請求項２０に記載のネットワーク同報送信プログラム。
【請求項２８】
前記受付ステップで受付ける前記同報返信要求に含まれる同報返信宛先情報には、前記同報送信宛先の中から選択された前記同報返信宛先が含まれることを特徴とする、請求項２０に記載のネットワーク同報送信プログラム。
【請求項２９】
前記受付ステップは、前記ネットワークを介して接続された機器のブラウザで、ＨＴＴＰを含むプロトコルを用いて前記ネットワーク同報送信装置にアクセスすることにより行なわれた同報返信要求を受付けることを特徴とする、請求項２０または２７に記載のネットワーク同報送信プログラム。
【請求項３０】
ＷＷＷサーバを含むサーバ機能をさらに備え、
前記サーバ機能は、前記同報宛先情報に基づき、前記ブラウザに前記同報宛先を表示する宛先表示ステップを備える、請求項２９に記載のネットワーク同報送信プログラム。
【請求項３１】
ネットワークに接続された、プロトコルの異なる複数の宛先にそれぞれ対応する機器へデータを送信するネットワーク同報送信プログラムであって、
データを同報的に送信する複数の宛先にそれぞれ対応する宛先の情報とプロトコルを含む複数の宛先情報を含む同報宛先情報を設定するための宛先情報設定ステップと、
前記データを前記複数の宛先にそれぞれ対応する機器へ、それぞれ対応するプロトコルで送信するステップであって、ファイル共有プロトコルに対応した機器へファイル共有プロトコルで前記データを送信する場合に、前記同報宛先情報を含むログファイルを前記データと共に送信するデータ送信ステップと、
前記データに対する返信用のデータを指定するためのデータ指定情報と、前記ログファイルに含まれる同報宛先情報に含まれる複数の宛先情報から選択することにより生成され、前記返信用のデータを返信するための返信宛先とプロトコルを含む前記ネットワークに接続された前記機器からの同報返信宛先情報とを含む、同報返信要求を受付ける受付ステップとをコンピュータに実行させ、
前記データ送信ステップは、前記受付ステップが前記同報返信要求を受付けた場合、前記同報返信宛先情報に基づいて、複数の機器へ前記指定されたデータをそれぞれ対応するプロトコルを使用して返信することを特徴とする、ネットワーク同報送信プログラム。
【請求項３２】
前記データ送信ステップは、前記記憶部のＳＭＢ共有フォルダに前記データを記憶させることを特徴とする、請求項３１に記載のネットワーク同報送信装置。
【請求項３３】
前記受付ステップは、前記同報返信要求を電子メールで受信することにより受付けることを特徴とする、請求項３２に記載のネットワーク同報送信プログラム。
【請求項３４】
前記データ送信ステップは、前記電子メールに指定されたフォルダに保存された前記データを返信する、請求項３３に記載のネットワーク同報送信プログラム。
【請求項３５】
前記データ送信ステップは、
宛先が電子メールアドレスに変換された前記同報宛先情報を前記ファイル共有プロトコルに対応した機器へ電子メールで送信し、
前記受付ステップは、宛先が電子メールアドレスに変換された前記同報返信宛先情報を含む前記同報返信要求を受付け、
前記データ送信ステップは、前記電子メールアドレスに基づいて、複数の機器へ前記指定されたデータをそれぞれ対応するプロトコルを使用して返信することを特徴とする、請求項３１に記載のネットワーク同報送信プログラム。
【請求項３６】
異なるプロトコルをサポートするサーバ機能をさらに備える、請求項２０〜３５のいずれかに記載のネットワーク同報送信プログラム。
【請求項３７】
ネットワークに接続された、プロトコルの異なる複数の宛先にそれぞれ対応する機器へデータを送信するネットワーク同報送信プログラムであって、
データを同報的に送信する複数の宛先にそれぞれ対応する、プロトコルに応じた複数の宛先情報を有する同報宛先情報を設定するための宛先情報設定ステップと、
前記データを前記複数の宛先にそれぞれ対応する機器へ、それぞれ対応するプロトコルで送信するステップであって、ファイル共有プロトコルに対応した機器へファイル共有プロトコルで前記データを送信する場合に、前記同報宛先情報を含むログファイルを前記データと共に送信するデータ送信ステップと、
前記データに対する返信用のデータを指定するためのデータ指定情報と、前記ログファイルに含まれる同報宛先情報に含まれる複数の宛先から選択することにより生成され、前記返信用のデータを返信するためのプロトコルに応じた返信宛先を含む同報返信宛先情報とを含む前記ネットワークに接続された前記機器からの同報返信要求を受付ける受付ステップとをコンピュータに実行させ、
前記データ送信ステップは、前記受付ステップが前記同報返信要求を受付けた場合、前記同報返信宛先情報に基づいて、前記返信宛先に対応する機器へ前記返信用のデータを前記返信宛先に対応するプロトコルを使用して返信することを特徴とする、ネットワーク同報送信プログラム。
【請求項３８】
請求項２０〜３７のいずれかに記載のネットワーク同報送信プログラムを記録した記録媒体。
【発明の詳細な説明】
【０００１】
【発明の属する技術分野】
この発明はネットワーク同報送信装置、ネットワーク同報返信方法、ネットワーク同報送信プログラムおよび記録媒体に関し、特に、複数のプロトコルの同報送信宛先に対して、同報返信を行なうことのできるネットワーク同報送信装置、ネットワーク同報返信方法、ネットワーク同報送信プログラムおよび記録媒体に関する。
【０００２】
【従来の技術】
従来より、ネットワーク上で、１つのデータ送信装置から複数のネットワーク機器に対して同時にデータを送信する、同報送信機能を備える、ネットワーク同報送信装置としてのＭＦＰ（Multifunction Peripheral：ＰＣ周辺装置を統合化した複合機）が考えられている。そのＭＦＰは、電子メールアドレス、インターネットファクシミリ端末、ファクシミリ端末、ＳＭＢ（Server Message Block：ファイル共有プロトコル）共有フォルダ、ＦＴＰ（File Transfer Protocol：ファイル転送用プロトコル）サーバなどの複数のプロトコルに同報送信することが考えられている。
【０００３】
図２１は、同報送信機能を備えるＭＦＰの１つであるスキャナが、一般的に行なう同報送信の処理を示すフローチャートである。この処理で画像データ送信装置であるスキャナは、複数の宛先を同報送信先として指定し、画像データを送信することができる。
【０００４】
図２１を参照して、ユーザは、スキャナの操作部で、画像データを送信する複数の宛先を同報送信先として指定し、画像送信の指示を行なう（Ｓ１）。ステップＳ１の指示は、ネットワーク上の他の機器から行ない、通信回線を介してスキャナに送ってもよい。
【０００５】
ステップＳ１で画像送信の指示を受けると、スキャナは、読取部で読取った画像データを、ステップＳ１で指定された同報宛先に送信する（Ｓ２）。
【０００６】
また、例えばデータ送信手段の１つである電子メールにおいて、同報送信で送信されたデータを受信したユーザの１人が、他の同報送信宛先に対して同報返信を行なう方法は、特開平６−２１６９３５において開示されており、容易に同報返信を行なうことができる。
【０００７】
図２２は、電子メールの送受信機能を備えるパーソナルコンピュータなどのＭＦＰが、一般的に行なう同報返信の処理を示すフローチャートである。この処理でＭＦＰは、指定されたデータを含むファイルに記憶されている複数の宛先を同報返信先として、指定されたデータを返信することができる。
【０００８】
図２２を参照して、ユーザは、パーソナルコンピュータなどのＭＦＰの操作部で、返信する受信電子メールデータなどのデータを含むファイルを指定する。さらにファイルに記憶されている複数の同報送信宛先を同報返信先として指定し、データの同報返信の指示を行なう（Ｓ３）。ステップＳ３の指示は、ネットワーク上の他の機器から行ない、通信回線を介してパーソナルコンピュータなどのＭＦＰに送ってもよい。
【０００９】
ステップＳ３で同報返信の指示を受けると、ＭＦＰは、指定されたデータを、ステップＳ３で指定された同報宛先に返信する（Ｓ４）。
【００１０】
【発明が解決しようとする課題】
しかしながら、ＭＦＰから電子メールアドレス以外のインターネットファクシミリ端末、ファクシミリ端末、ＳＭＢ共有フォルダ、ＦＴＰサーバなどの複数のプロトコルに同報送信した場合、各同報宛先のプロトコルが異なるため、データを受信したユーザは、全ての同報宛先に対して同報返信を行なうことはできないという問題があった。
【００１１】
そこで、この発明では、ＭＦＰから複数のプロトコルに対して行なわれた同報送信に対して、ファイル共有プロトコルの１つであるＳＭＢから全ての同報宛先に対して同報返信を行なうことのできるネットワーク同報送信装置、ネットワーク同報返信方法、ネットワーク送信プログラムおよび記録媒体を提供することを目的とする。
【００１２】
【課題を解決するための手段】
上記目的を達成するために、本発明のある局面に従うと、ネットワークに接続された、プロトコルの異なる複数の宛先にそれぞれ対応する機器へデータを送信するネットワーク同報送信装置は、データを同報的に送信する複数の宛先にそれぞれ対応する宛先の情報とプロトコルの情報とを含む複数の宛先情報を有する同報宛先情報を設定するための宛先情報設定手段と、データを複数の宛先にそれぞれ対応する機器へ、それぞれ対応するプロトコルで送信する手段であって、ファイル共有プロトコルに対応した機器へファイル共有プロトコルでデータを送信する場合に、同報宛先情報を含むログファイルをデータと共に送信するデータ送信手段と、データに対する返信用のデータを指定するためのデータ指定情報と、ログファイルに含まれる同報宛先情報に含まれる複数の宛先情報から選択することにより生成され、返信用のデータを返信するための返信宛先の情報とプロトコルの情報とを含む同報返信宛先情報とを含むネットワークに接続された機器からの同報返信要求を受付ける受付手段とを備え、データ送信手段は、受付手段が同報返信要求を受付けた場合、同報返信宛先情報に基づいて、返信宛先の情報に対応する機器へ返信用のデータをプロトコルの情報に対応するプロトコルを使用して返信することを特徴とする。
【００１３】
またネットワーク同報送信装置のファイル共有プロトコルは、ＳＭＢプロトコルであることが望ましい。
【００１４】
またネットワーク同報送信装置のデータ送信手段は、前記複数の機器のうち電子メール送受信機能を有する機器へ、前記データを電子メールで送信することが望ましい。
【００１５】
またネットワーク同報送信装置のデータ送信手段は、ファクシミリおよびプリンタを含む印刷装置に対して画像データを送信することが望ましい。
【００１６】
またネットワーク同報送信装置のデータ送信手段は、電子メールアドレス、インターネットファクシミリ端末、ファクシミリ端末、ＳＭＢ共有フォルダ、およびＦＴＰサーバの少なくとも１つに対してデータを送信することが望ましい。
【００１７】
またネットワーク同報送信装置の同報宛先情報は、データ送信手段で同報的に送信した宛先についての送信プロトコルと送信アドレスとを含むことが望ましい。
【００１８】
またネットワーク同報送信装置のデータ送信手段は、データ送信手段で送信した全ての同報送信宛先についての送信プロトコルと送信アドレスとを含む同報宛先情報と、データ送信手段で送信するデータを含む同報送信ファイルのファイル名と、データ送信手段で送信を行なう送信日時と、当該装置のアドレスとを送信することが望ましい。
【００１９】
またネットワーク同報送信装置のデータ送信手段は、同報宛先情報に基づき、データ送信時の対応するプロトコルと同じプロトコルで、同報返信要求で指定されたデータを返信することが望ましい。
【００２０】
またネットワーク同報送信装置の受付手段で受付ける同報返信要求に含まれる同報返信宛先情報には、同報送信宛先の中から選択された同報返信宛先が含まれることが望ましい。
【００２３】
またネットワーク同報送信装置の受付手段は、ネットワークを介して接続された機器のブラウザで、ＨＴＴＰを含むプロトコルを用いてネットワーク同報送信装置にアクセスすることにより行なわれた同報返信要求を受付けることが望ましい。
【００２４】
またネットワーク同報送信装置は、ＷＷＷサーバを含むサーバ機能をさらに備え、サーバ機能は、同報宛先情報に基づき、ブラウザに同報宛先を表示する宛先表示手段を備えることが望ましい。
【００２５】
本発明の他の局面に従うと、ネットワークに接続された、プロトコルの異なる複数の宛先にそれぞれ対応する機器へデータを送信するネットワーク同報送信装置は、データを同報的に送信する複数の宛先にそれぞれ対応する宛先の情報とプロトコルを含む複数の宛先情報を含む同報宛先情報を設定するための宛先情報設定手段と、データを複数の宛先にそれぞれ対応する機器へ、それぞれ対応するプロトコルで送信する手段であって、ファイル共有プロトコルに対応した機器へファイル共有プロトコルでデータを送信する場合に、同報宛先情報を含むログファイルをデータと共に送信するデータ送信手段と、データに対する返信用のデータを指定するためのデータ指定情報と、ログファイルに含まれる同報宛先情報に含まれる複数の宛先情報から選択することにより生成され、返信用のデータを返信するための返信宛先とプロトコルを含むネットワークに接続された機器からの同報返信宛先情報とを含む、同報返信要求を受付ける受付手段と、データ送信手段は、受付手段が同報返信要求を受付けた場合、同報返信宛先情報に基づいて、複数の機器へ指定されたデータをそれぞれ対応するプロトコルを使用して返信することを特徴とする。
またネットワーク同報送信装置のデータ送信手段は、記憶手段のＳＭＢ共有フォルダに前記データを記憶させることが望ましい。
【００２６】
またネットワーク同報送信装置の受付手段は、同報返信要求を電子メールで受信することにより受付けることが望ましい。
【００２７】
またネットワーク同報送信装置のデータ送信手段は、電子メールに指定されたフォルダに保存されたデータを返信することが望ましい。
【００２８】
またネットワーク同報送信装置のデータ送信手段は、宛先が電子メールアドレスに変換された同報宛先情報をファイル共有プロトコルに対応した機器へ電子メールで送信し、
受付手段は、宛先が電子メールアドレスに変換された同報返信宛先情報を含む同報返信要求を受付け、データ送信手段は、電子メールアドレスに基づいて、複数の機器へ指定されたデータをそれぞれ対応するプロトコルを使用して返信することが望ましい。
【００２９】
またネットワーク同報送信装置は、異なるプロトコルをサポートするサーバ機能をさらに備えることが望ましい。
本発明の他の局面に従うと、ネットワークに接続された、プロトコルの異なる複数の宛先にそれぞれ対応する機器へデータを送信するネットワーク同報送信装置は、データを同報的に送信する複数の宛先にそれぞれ対応する、プロトコルに応じた複数の宛先情報を有する同報宛先情報を設定するための宛先情報設定手段と、データを複数の宛先にそれぞれ対応する機器へ、それぞれ対応するプロトコルで送信する手段であって、ファイル共有プロトコルに対応した機器へファイル共有プロトコルでデータを送信する場合に、同報宛先情報を含むログファイルをデータと共に送信するデータ送信手段と、データに対する返信用のデータを指定するためのデータ指定情報と、ログファイルに含まれる同報宛先情報に含まれる複数の宛先から選択することにより生成され、返信用のデータを返信するためのプロトコルに応じた返信宛先を含む同報返信宛先情報とを含むネットワークに接続された機器からの同報返信要求を受付ける受付手段とを備え、データ送信手段は、受付手段が同報返信要求を受付けた場合、同報返信宛先情報に基づいて、返信宛先に対応する機器へ返信用のデータを返信宛先に対応するプロトコルを使用して返信することを特徴とする。
【００３０】
本発明の他の局面に従うと、ネットワークに接続された、プロトコルの異なる複数の宛先にそれぞれ対応する機器へネットワーク同報送信装置がデータを送信するネットワーク同報送信方法は、データを同報的に送信する複数の宛先にそれぞれ対応する宛先の情報とプロトコルの情報とを含む複数の宛先情報を有する同報宛先情報を設定するための宛先情報設定ステップと、データを複数の宛先にそれぞれ対応する機器へ、それぞれ対応するプロトコルでネットワーク同報送信装置が送信するステップであって、ファイル共有プロトコルに対応した機器へファイル共有プロトコルでデータを送信する場合に、ネットワーク同報送信装置同報宛先情報を含むログファイルをデータと共にネットワーク同報送信装置が送信するデータ送信ステップと、データに対する返信用のデータを指定するためのデータ指定情報と、ログファイルに含まれる同報宛先情報に含まれる複数の宛先情報から選択することにより生成され、返信用のデータを返信するための返信宛先の情報とプロトコルの情報とを含む同報返信宛先情報とを含むネットワークに接続された機器からの同報返信要求をネットワーク同報送信装置が受付ける受付ステップとを備え、データ送信ステップは、受付ステップが同報返信要求を受付けた場合、同報返信宛先情報に基づいて、返信宛先の情報に対応する機器へ返信用のデータをプロトコルの情報に対応するプロトコルを使用してネットワーク同報送信装置が返信することを特徴とする。
【００３１】
本発明の他の局面に従うと、ネットワークに接続された、プロトコルの異なる複数の宛先にそれぞれ対応する機器へデータを送信するネットワーク同報送信プログラムは、データを同報的に送信する複数の宛先にそれぞれ対応する宛先の情報とプロトコルの情報とを含む複数の宛先情報を有する同報宛先情報を設定するための宛先情報設定ステップと、
データを複数の宛先にそれぞれ対応する機器へ、それぞれ対応するプロトコルで送信するステップであって、ファイル共有プロトコルに対応した機器へファイル共有プロトコルでデータを送信する場合に、同報宛先情報を含むログファイルをデータと共に送信するデータ送信ステップと、データに対する返信用のデータを指定するためのデータ指定情報と、ログファイルに含まれる同報宛先情報に含まれる複数の宛先情報から選択することにより生成され、返信用のデータを返信するための返信宛先の情報とプロトコルの情報とを含む同報返信宛先情報とを含むネットワークに接続された機器からの同報返信要求を受付ける受付ステップとをコンピュータに実行させ、データ送信ステップは、受付ステップが同報返信要求を受付けた場合、同報返信宛先情報に基づいて、返信宛先の情報に対応する機器へ返信用のデータをプロトコルの情報に対応するプロトコルを使用して返信することを特徴とする。
【００３２】
また、ネットワーク同報送信プログラムのファイル共有プロトコルは、ＳＭＢプロトコルであることが望ましい。
【００３３】
また、ネットワーク同報送信プログラムのデータ送信ステップは、複数の機器のうち電子メール送受信機能を有する機器へ、データを電子メールでデータを送信することが望ましい。
【００３４】
また、ネットワーク同報送信プログラムのデータ送信ステップは、ファクシミリおよびプリンタを含む印刷装置に対して画像データを送信することが望ましい。
【００３５】
また、ネットワーク同報送信プログラムのデータ送信ステップは、電子メールアドレス、インターネットファクシミリ端末、ファクシミリ端末、ＳＭＢ共有フォルダ、およびＦＴＰサーバの少なくとも１つに対してデータを送信することが望ましい。
【００３６】
また、ネットワーク同報送信プログラムの同報宛先情報は、データ送信ステップで同報的に送信した宛先についての送信プロトコルと送信アドレスとを含むことが望ましい。
【００３７】
また、ネットワーク同報送信プログラムのデータ送信ステップは、データ送信ステップで送信した全ての同報送信宛先についての送信プロトコルと送信アドレスとを含む同報宛先情報と、データ送信ステップで送信するデータを含む同報送信ファイルのファイル名と、データ送信ステップで送信を行なう送信日時と、ネットワーク同報送信装置のアドレスとを送信することが望ましい。
【００３８】
また、ネットワーク同報送信プログラムのデータ送信ステップは、同報宛先情報に基づき、データ送信時の対応するプロトコルと同じプロトコルで、同報返信要求で指定されたデータを返信することが望ましい。
【００３９】
また、ネットワーク同報送信プログラムの受付ステップで受付ける同報返信要求に含まれる同報返信宛先情報には、同報送信宛先の中から選択された同報返信宛先が含まれることが望ましい。
【００４２】
また、ネットワーク同報送信プログラムの受付ステップは、ネットワークを介して接続された機器のブラウザで、ＨＴＴＰを含むプロトコルを用いてネットワーク同報送信装置にアクセスすることにより行なわれた同報返信要求を受付けることが望ましい。
【００４３】
また、ネットワーク同報送信プログラムは、ＷＷＷサーバを含むサーバ機能をさらに備え、サーバ機能は、同報宛先情報に基づき、ブラウザに同報宛先を表示する宛先表示ステップを備えることが望ましい。
【００４４】
本発明の他の局面に従うと、ネットワークに接続された、プロトコルの異なる複数の宛先にそれぞれ対応する機器へデータを送信するネットワーク同報送信プログラムであって、データを同報的に送信する複数の宛先にそれぞれ対応する宛先の情報とプロトコルを含む複数の宛先情報を含む同報宛先情報を設定するための宛先情報設定ステップと、データを複数の宛先にそれぞれ対応する機器へ、それぞれ対応するプロトコルで送信するステップであって、ファイル共有プロトコルに対応した機器へファイル共有プロトコルでデータを送信する場合に、同報宛先情報を含むログファイルをデータと共に送信するデータ送信ステップと、データに対する返信用のデータを指定するためのデータ指定情報と、ログファイルに含まれる同報宛先情報に含まれる複数の宛先情報から選択することにより生成され、返信用のデータを返信するための返信宛先とプロトコルを含むネットワークに接続された機器からの同報返信宛先情報とを含む、同報返信要求を受付ける受付ステップとをコンピュータに実行させ、データ送信ステップは、受付ステップが同報返信要求を受付けた場合、同報返信宛先情報に基づいて、複数の機器へ指定されたデータをそれぞれ対応するプロトコルを使用して返信することを特徴とする。
また、ネットワーク同報送信プログラムのデータ送信ステップは、記憶部のＳＭＢ共有フォルダにデータを記憶させることが望ましい。
【００４５】
また、ネットワーク同報送信プログラムの受付ステップは、同報返信要求を電子メールで受信することにより受付けることが望ましい。
【００４６】
また、ネットワーク同報送信プログラムのデータ送信ステップは、電子メールに指定されたフォルダに保存されたデータを返信することが望ましい。
【００４７】
また、ネットワーク同報送信プログラムのデータ送信ステップは、宛先が電子メールアドレスに変換された同報宛先情報をファイル共有プロトコルに対応した機器へ電子メールで送信し、受付ステップは、宛先が電子メールアドレスに変換された同報返信宛先情報を含む同報返信要求を受付け、データ送信ステップは、電子メールアドレスに基づいて、複数の機器へ指定されたデータをそれぞれ対応するプロトコルを使用することが望ましい。
【００４８】
また、ネットワーク同報送信プログラムは異なるプロトコルをサポートするサーバ機能をさらに備えることが望ましい。
本発明の他の局面に従うと、ネットワークに接続された、プロトコルの異なる複数の宛先にそれぞれ対応する機器へデータを送信するネットワーク同報送信プログラムは、データを同報的に送信する複数の宛先にそれぞれ対応する、プロトコルに応じた複数の宛先情報を有する同報宛先情報を設定するための宛先情報設定ステップと、データを複数の宛先にそれぞれ対応する機器へ、それぞれ対応するプロトコルで送信するステップであって、ファイル共有プロトコルに対応した機器へファイル共有プロトコルでデータを送信する場合に、同報宛先情報を含むログファイルをデータと共に送信するデータ送信ステップと、データに対する返信用のデータを指定するためのデータ指定情報と、ログファイルに含まれる同報宛先情報に含まれる複数の宛先から選択することにより生成され、返信用のデータを返信するためのプロトコルに応じた返信宛先を含む同報返信宛先情報とを含むネットワークに接続された機器からの同報返信要求を受付ける受付ステップとをコンピュータに実行させ、データ送信ステップは、受付ステップが同報返信要求を受付けた場合、同報返信宛先情報に基づいて、返信宛先に対応する機器へ返信用のデータを返信宛先に対応するプロトコルを使用して返信することを特徴とする。
【００４９】
本発明の他の局面に従うと、記録媒体は、上述のネットワーク同報送信プログラムを記録した記録媒体である。
【００５０】
【発明の実施の形態】
［第１の実施の形態］
図１に、本実施の形態におけるＭＦＰであるデータ送信装置を用いたネットワークシステムを示す。本実施の形態においては、データ送信装置をスキャナとして説明を行なう。
【００５１】
図１を参照して、ネットワークシステムは、スキャナ１００と、ファクシミリ４００と、インターネットファクシミリ５００と、パーソナルコンピュータ（以下、ＰＣという）６００と、ＰＣ６１０と、ＰＣ６２０とを含む。
【００５２】
スキャナ１００とファクシミリ４００とは、回線２００で相互に接続されており、回線２００を介して通信を行なう。また、スキャナ１００とインターネットファクシミリ５００と、ＰＣ６００とは、回線３００で相互に接続されており、回線３００を介して通信を行なう。
【００５３】
図２に、図１に示された、スキャナ１００のハードウェア構成を、ブロック図で示す。
【００５４】
図２を参照して、スキャナ１００は、スキャナ１００全体の制御を行なうＣＰＵ（Central Processing Unit）１０１と、各種のプログラムを記憶するＲＯＭ（Read Only Memory）１０２と、ワークエリアとして動作するメモリやＨＤＤ（Hard Disk Drive）からなる記憶部１０３と、表示を行なう表示部１０４と、ユーザが操作指示を行なう操作部１０５と、画像を読取る読取部１０６と、回線２００に接続するためのインタフェースＩ／Ｆ１０７と、回線３００に接続するためのインタフェースＩ／Ｆ１０８とを含む。
【００５５】
図２に示されるスキャナ１００は、ネットワークシステムに含まれる他のネットワーク機器の採用しているプロトコルをサポートしている。
【００５６】
図３に、図１に示された、ファクシミリ４００のハードウェア構成を、ブロック図で示す。
【００５７】
図３を参照して、ファクシミリ４００は、ファクシミリ４００全体の制御を行なうＣＰＵ４０１と、各種のプログラムを記憶するＲＯＭ４０２と、ワークエリアとして動作するメモリやＨＤＤからなる記憶部４０３と、回線２００に接続するためのインタフェースＩ／Ｆ４０５と、回線２００を介して受信した画像データを印刷する印刷部４０４と、画像データを読取る読取部４０６とを含む。
【００５８】
図３に示されるファクシミリ４００はプロトコルとして、ＩＴＵ  Ｖ．１７，Ｖ．２１，Ｖ．２７ｔｅｒ，Ｖ２９などを採用している。
【００５９】
図４に、図１に示された、インターネットファクシミリ５００のハードウェア構成を、ブロック図で示す。
【００６０】
図４を参照して、インターネットファクシミリ５００は、図３に示されたファクシミリ４００と同様に、ＣＰＵ５０１と、ＲＯＭ５０２と、記憶部５０３と、Ｉ／Ｆ５０５と、印刷部５０４と、読取部５０６とを含む。なお、インターネットファクシミリ５００に含まれるＩ／Ｆ５０５は、回線３００に接続するためのインタフェースである。
【００６１】
図４に示されるインターネットファクシミリ５００はプロトコルとして、ｓｍｔｐ、ｐｏｐ３などを採用している。
【００６２】
図５に、図１に示された、ＰＣ６００のハードウェア構成を、ブロック図で示す。
【００６３】
図５を参照して、ＰＣ６００は、ＰＣ６００全体の制御を行なうＣＰＵ６０１と、メールソフトやブラウザなどの各種のプログラムを記憶するＲＯＭ６０２と、ワークエリアとして動作するメモリやＨＤＤからなる記憶部６０３と、表示を行なうディスプレイなどから構成される表示部６０４と、Ｉ／Ｆ６０５と、ユーザが操作を行なうキーボードやマウスなどから構成される操作部６０６とを含む。なお、ＰＣ６００に含まれるＩ／Ｆ６０５は、回線３００に接続するためのインタフェースである。
【００６４】
また、ＰＣ６１０およびＰＣ６２０は、ＰＣ６００と同様のハードウェア構成であるため、ここでの説明は繰返さない。
【００６５】
さらに、本実施の形態においては、図５に示されるＰＣ６００はプロトコルとして、ＳＭＴＰ、ｐｏｐ３などの採用しており、ＲＯＭ６０２に、メール送受信用のアプリケーションであるメーラを有する。
【００６６】
またＰＣ６１０はプロトコルとしてＳＭＢを採用しており、ＳＭＢ共有フォルダと、ＳＭＢ同報返信アプリケーションとを有する。
【００６７】
ＳＭＢ共有フォルダは、ＳＭＢを採用した、書込み可能なアクセス権が設定され、ネットワーク上で公開される共有フォルダである。
【００６８】
ＳＭＢ同報返信アプリケーションは、ＲＯＭに常駐し、ＳＭＢ共有フォルダを常時監視しているアプリケーションである。ＳＭＢ共有フォルダに外部からアクセスがあった場合に表示部に表示する、などの機能をもつ。アプリケーションの動作については、後に詳しく説明を行なう。
【００６９】
またＰＣ６２０はプロトコルとしてＦＴＰを採用しており、ＲＯＭに、ＦＴＰサーバアプリケーションを有する。
【００７０】
ＦＴＰサーバアプリケーションは、ＦＴＰを採用し、ネットワーク上でファイル転送を行なうためのサーバとしての機能を有するアプリケーションである。なお、スキャナ１００がＦＴＰサーバアプリケーションを有し、ＰＣ６２０はスキャナ１００からサービスを享受するクライアントの機能を有していてもよい。
【００７１】
図６に、図１〜図５に示されたネットワークシステムにおいて、スキャナ１００が行なう同報送信の処理を表わすフローチャートを示す。
【００７２】
図６を参照して、ユーザは、スキャナ１００から、複数の相手に対して画像データを同報送信する場合、スキャナ１００の操作部１０５で、画像データを送信する複数の宛先を同報送信先として指定し、画像送信指示を行なう（Ｓ１０）。ステップＳ１０の指示は、ネットワーク上のＰＣ６００などの他の機器から行ない、回線２００または回線３００を介してスキャナ１００に送ってもよい。
【００７３】
ステップＳ１０で、ユーザからスキャナ１００に対して画像送信指示があると、スキャナ１００のＣＰＵ１０１は、同報送信先の宛先が、ＰＣ６１０の有するＳＭＢ共有フォルダか否かを判断する（Ｓ１１）。
【００７４】
ステップＳ１０で指定された同報送信先にＳＭＢ共有フォルダが含まれており、ＳＭＢ共有フォルダに送信する場合（Ｓ１１でｔｏ  ＳＭＢ）、スキャナ１００は、指定された宛先のＳＭＢ共有フォルダに、読取部１０６で読取った画像データを書込む。同時にログファイルも書込む（Ｓ１２）。
【００７５】
ステップＳ１０で指定された、ＳＭＢ共有フォルダ以外の同報送信先に送信する場合（Ｓ１１でＯｔｈｅｒｓ）、スキャナ１００は、それぞれの宛先に対応した画像データの送信を行なう（Ｓ１３）。
【００７６】
図７に、図６のステップＳ１０で、ユーザがスキャナ１００に画像送信指示を行なう時の画面の具体例を示す。図７に示される画面は、スキャナ１００から指示を行なう場合はスキャナ１００の表示部１０４に表示され、他の機器から指示を行なう場合は、他の機器の表示部に表示される。ユーザは図７に示される画面に従って、スキャナ１００の操作部１０５などから操作を行ない、スキャナ１００に指示を行なう。
【００７７】
図７を参照して、ユーザは、画像データの同報送信先として、ファクシミリ４００と、インターネットファクシミリ５００と、メール送受信機能を有するＰＣ６００と、ＳＭＢ共有ファイルを有するＰＣ６１０と、ＦＴＰクライアントとしての機能を有するＰＣ６２０とに対して、それぞれの送信先を指定する。
【００７８】
ステップＳ１２またはＳ１３では、スキャナ１００は、ＣＰＵ１０１で、図７の画面で入力された送信先に対応するプロトコルを自動的に判断し、インタフェースＩ／Ｆ１０７またはＩ／Ｆ１０８から、対応したプロトコルに応じて画像データの送信を行なう。
【００７９】
また図８に、図６のステップＳ１２でスキャナ１００がＳＭＢ共有フォルダに書込むログファイルの具体例を示す。
【００８０】
図７の入力画面で入力したファクシミリ４００と、インターネットファクシミリ５００と、ＰＣ６００と、ＰＣ６１０と、ＰＣ６２０とに対して、画像データを同報送信する場合、ログファイルは図８に示された記述となる。
【００８１】
図８を参照して、ログファイルには、同報送信を行なうファイル名と、送信年月日時刻と、送信元スキャナ１００のアドレスと、各同報送信宛先のプロトコルとアドレスとを含む。
【００８２】
また図９に、図１〜図５に示されたネットワークシステムにおいて、スキャナ１００が行なう同報返信の処理を表わすフローチャートを示す。ユーザは、上述の処理でスキャナ１００から送信された画像データなどのファイルの送信宛先に対して、同報返信を行なう。
【００８３】
図９を参照して、ユーザは、スキャナ１００の操作部１０５で、返信するデータを含むファイルの、ファイル名やネットワーク上でファイルが記憶されている場所などを指定して、画像返信の指示を行なう（Ｓ２０）。ステップＳ２０の指示は、ネットワーク上のＰＣ６００などの他の機器から行ない、回線２００または回線３００を介してスキャナ１００に送ってもよい。
【００８４】
ステップＳ２０の画像返信指示が、ＳＭＢ共有フォルダに記憶されているファイルを指定して返信を行なう指示であった場合（Ｓ２１でｔｏ  ＳＭＢ）、スキャナ１００のＣＰＵ１０１は、ＰＣ６１０のＳＭＢ共有フォルダに記憶されているファイルに含まれる、返送するデータを読出す。さらに、ステップＳ２０の画像返信指示を行なったＰＣ６１０の、ＳＭＢ同報返信アプリケーションに指定された同報返信宛先に、画像データを送信する（Ｓ２２）。
【００８５】
ステップＳ２０の画像返信指示が、ＳＭＢ共有フォルダ以外に記憶されている画像データを含むファイルを指定して返信を行なう指示であった場合（Ｓ２１でｏｔｈｅｒｓ）、ステップＳ２０で指定されたそれぞれの同報返送の宛先に対応した画像データの送信を行なう（Ｓ２３）。
【００８６】
図９のステップＳ２１で、画像返信指示がＳＭＢ共有フォルダに記憶されている画像データを含むファイルを指定して返信を行なう指示であった場合、ＰＣ６１０のＲＯＭに常駐するＳＭＢ同報返信アプリケーションによって、画像返信の指示が行なわれる。
【００８７】
図１０に、ＰＣ６１０のＲＯＭに常駐するＳＭＢ同報返信アプリケーションが行なう処理について表わすフローチャートを示す。
【００８８】
図１０を参照して、ＳＭＢ同報返信アプリケーションは、常時ＳＭＢ共有フォルダに書込みがあるか否かを監視する（Ｓ３０）。
【００８９】
ＳＭＢ共有フォルダに書込みが確認されると（Ｓ３０でＹｅｓ）、表示部に表示を行ない、ユーザに、ＳＭＢ共有フォルダに書込みが行なわれたことを通知する（Ｓ３１）。
【００９０】
さらに図９のステップＳ２０でＳＭＢ同報返信アプリケーションによって、スキャナ１００に画像返信の要求を行なう処理について表わすフローチャートを、図１１に示す。
【００９１】
図１１を参照して、ＳＭＢ同報返信アプリケーションの同報返信用のＵＩ（User Interface）において、ユーザからログファイルのファイル名やネットワーク上でファイルが記憶されている場所などが指定された場合（Ｓ４０でＹｅｓ）、ＳＭＢ同報返信アプリケーションは、ステップＳ４０で指定されたログファイルを解析する。入力されたネットワーク上の場所から指定されたログファイルを読出し、ログファイルに含まれている宛先を、同報宛先の一覧表として、ＰＣ６１０の表示部に表示する（Ｓ４１）。
【００９２】
ステップＳ４１で表示された同報宛先の一覧表から、ユーザは同報返信を行なう宛先を選択し、さらに返信する画像データを含むファイルのファイル名やネットワーク上でファイルが記憶されている場所などを指定し、入力する。その後、同報返信の送信の指示が行なわれると（Ｓ４２でＹｅｓ）、ＳＭＢ同報返信アプリケーションは、スキャナ１００に対して、ステップＳ４２で入力された返信宛先情報とファイル指定情報とを送信し、同報返信の指示を行なう（Ｓ４３）。
【００９３】
図９のステップＳ２０で、図１１のステップＳ４３で送信された同報返信の指示を受けると、スキャナ１００のＣＰＵ１０１は、ステップＳ２１でＳＭＢからの返信の指示と判断し、ステップＳ２２で指定された返信宛先に、指定された画像データを送信する。
【００９４】
なお、図１２に、図１１のステップＳ４１で、ＰＣ６１０の表示部に表示される同報宛先の一覧を示す画面の具体例を示す。図１２に示される画面は、図１１のステップＳ４０で、図８に示されるログファイルが指定されたときに、図８に示されるログファイルが解析され、ログファイルに含まれる宛先が読出され、表示部に表示される。
【００９５】
ユーザは、図１１のステップＳ４２で、図１２に示される同報宛先の一覧から同報返信を行なう宛先を、操作部でクリックするなどして選択し、入力する。さらに、返信する画像データを含むファイルのファイル名や記憶されている場所などを入力する。ファイルの入力は、図１２に示されているように直接文字列を入力する方法でもいいし、同報宛先と同様に、ＳＭＢ共有ファイルに含まれるファイルの一覧から選択し、入力する方法でもよい。また、返信する画像データを含むファイルは、図６のステップＳ１２でスキャナ１００から画像データを受信するＳＭＢ共有ファイルとは異なるＳＭＢファイルであってもよい。
【００９６】
スキャナ１００は図９のステップＳ２２では、ＣＰＵ１０１において、図１１のステップＳ４２で入力された同報返信を行なう返信宛先に対応するプロトコルを自動的に判断し、インタフェースＩ／Ｆ１０７またはＩ／Ｆ１０８から、対応したプロトコルに応じて画像データの送信を行なう。
【００９７】
なお、本実施の形態においては、上述のＳＭＢ同報返信アプリケーションは、スキャナ１００と通信を行ない、スキャナ１００に対して送信指示を行なうものとして説明を行なったが、ＳＭＢ同報返信アプリケーションは、図１には図示されていない、スキャナ１００とは別のサーバ機能を持つネットワーク機器と通信を行ない、サーバを介してスキャナ１００に送信指示を行なってもよい。その場合、サーバ機能を持つネットワーク機器は、ネットワークシステムに含まれる他のネットワーク機器の採用しているプロトコルをサポートしているため、スキャナ１００は、上述のプロトコルを全てサポートしていなくても構わない。
【００９８】
上述のスキャナ１００を含むデータ送信装置であるＭＦＰをネットワークシステムに用いることで、ＭＦＰは、同報送信時に、ＳＭＢ（ファイル共有プロトコル）を採用したネットワーク上で公開される共有フォルダであるＳＭＢ共有フォルダに、画像データとログファイルとを保存する。
【００９９】
ＭＦＰは、ログファイル含まれる同報宛先情報から、各宛先のプロトコルを自動的に判別するため、ネットワークを介してＳＭＢ端末でデータを受信するユーザは、ＳＭＢ共有フォルダに保存されたログファイルに含まれる同報宛先情報に基づき、端末が有するＳＭＢ同報返信用のアプリケーションを用いて、異なるプロトコルへ同報送信を行なうことが可能になる。したがってユーザは、同報返信を行なおうとする画像データなどのデータと、同報宛先情報を含むログファイルとを含むファイルをＳＭＢフォルダに保存し、ＭＦＰに対して上記ファイルを指定して同報返信の指示を行なうだけで、自動的に指定する同報宛先に対してデータを返信することができる。
【０１００】
［第２の実施の形態］
第２の実施の形態におけるネットワークシステムの構成は、図１に示された構成と同様であるため、ここでの説明は繰返さない。
【０１０１】
図１に示されたネットワークシステムを構成するスキャナ１００は、図２に示されたハードウェア構成と同様であり、さらにリモートＵＩ（User Interface）を有する。スキャナ１００はＷＷＷサーバ機能を有し、ＨＴＴＰプロトコルなどを用いて、各装置からリモートＵＩにアクセスすることができる。
【０１０２】
また、図１に示されたネットワークシステムを構成するファクシミリ４００、インターネットファクシミリ５００、ＰＣ６００、ＰＣ６１０、およびＰＣ６２０のハードウェア構成は、図３〜図５に示されたハードウェア構成と同様であるため、ここでの説明は繰返さない。
【０１０３】
また、本実施の形態のネットワークシステムにおいて、スキャナ１００が行なう同報送信の処理は、第１の実施の形態において図６のフローチャートに示された処理と同様であるため、ここでの説明を繰返さない。
【０１０４】
本実施の形態のネットワークシステムにおいて、ユーザが同報返信を行なう場合、スキャナ１００にあるリモートＵＩを用いる。本実施の形態において、ユーザは、リモートＵＩを用いて、第１の実施の場合と同様に、スキャナ１００から送信された画像データなどのファイルの送信宛先に対して、同報返信を行なう。
【０１０５】
図１３に、本実施の形態のネットワークシステムにおいて、スキャナ１００が行なう同報返信の処理を表わすフローチャートを示す。
【０１０６】
図１３を参照して、ユーザは同報返信を行なう場合、ネットワークシステムに含まれる機器から、スキャナ１００のリモートＵＩを起動させる。
【０１０７】
スキャナ１００では、ユーザの指示（Ｓ５０でＹｅｓ）によってリモートＵＩが起動し、処理を行なう（Ｓ５１）。
【０１０８】
ステップＳ５１におけるリモートＵＩが行なう処理については、後に説明を行なう。
【０１０９】
ステップＳ５１において、ユーザはリモートＵＩを用いて、スキャナ１００に画像返信指示を行なう。
【０１１０】
ステップＳ５１の画像返信指示が、ユーザがＰＣ６１０を用いて、ＳＭＢ共有フォルダに記憶されているファイルを指定して返信を行なう指示であった場合（Ｓ５２でｔｏ  ＳＭＢ）、スキャナ１００のＣＰＵ１０１は、リモートＵＩに指定されたアドレスのＳＭＢフォルダから、記憶されているファイルに含まれる画像データを読出す。さらにスキャナ１００のＣＰＵ１０１は、リモートＵＩに指定された同報返信宛先に、画像データを送信する（Ｓ５３）。
【０１１１】
ステップＳ５１の画像返信指示が、ＳＭＢ共有フォルダ以外に記憶されている画像データを含むファイルを指定して返信を行なう指示であった場合（Ｓ５２でｏｔｈｅｒｓ）、スキャナ１００のＣＰＵ１０１は、リモートＵＩに指定されたそれぞれの同報返送の宛先に対応した画像データの送信を行なう（Ｓ５４）。
【０１１２】
ステップＳ５４では、ＣＰＵ１０１において、リモートＵＩに指定された、同報返信を行なう返信宛先に対応するプロトコルを自動的に判断し、インタフェースＩ／Ｆ１０７またはＩ／Ｆ１０８から、対応したプロトコルに応じて画像データの送信を行なう。
【０１１３】
さらに図１４に、図１３のステップＳ５１においてスキャナ１００のリモートＵＩが行なう処理について、フローチャートを示す。
【０１１４】
図１４を参照して、図１３のステップＳ５０で、ユーザがスキャナ１００に指示すると、スキャナ１００のリモートＵＩが起動する（Ｓ６０）。
【０１１５】
ステップＳ６０で起動したリモートＵＩは、ユーザから、ログファイルのファイル名とネットワーク上でファイルが記憶されている場所との指定を受付ける（Ｓ６１）。
【０１１６】
ステップＳ６１においてリモートＵＩは、ユーザの操作するネットワーク機器の表示部に、ここには図示しない入力画面を表示する。ユーザは、入力画面によって、ログファイルのファイル名や、ネットワーク上でファイルが記憶されている場所などの入力を行なう。
【０１１７】
ステップＳ６１でユーザからログファイルの入力を受付けると（Ｓ６１でＹｅｓ）、リモートＵＩは、指定されたログファイルを解析する。入力されたネットワーク上の場所から指定されたログファイルを読出し、ログファイルに含まれている宛先を、同報宛先の一覧表として、ユーザの操作するネットワーク機器の表示部に表示する（Ｓ６２）。
【０１１８】
ステップＳ６２において表示される一覧表は、第１の実施の形態において、図１２で示される、同報宛先の一覧を示す画面と同様の画面である。
【０１１９】
ユーザは、ステップＳ６２で表示された図１２に示される画面の一覧から、ユーザは同報返信を行なう宛先を選択し、さらに返信する画像データを含むファイルのファイル名や、ネットワーク上でファイルが記憶されている場所などを指定し、入力する。その後、同報返信の送信の指示が行なわれると（Ｓ６３でＹｅｓ）、リモートＵＩは、スキャナ１００に対して、ステップＳ６３で入力された返信宛先情報とファイル指定情報とを送信し、同報返信の指示を行なう（Ｓ６４）。
【０１２０】
上述のスキャナ１００を含むデータ送信装置であるＭＦＰをネットワークシステムに用いることで、ユーザは、同報送信を行なう際、用いるネットワーク機器に同報返信用アプリケーションが含まれていない場合でも、ＭＦＰに含まれるリモートＵＩを用いて同報返送の指示を行なうことができる。
【０１２１】
同報返信を行なおうとするユーザは、返信する画像データなどのデータと、同報宛先情報を含むログファイルとを含むファイルをＳＭＢフォルダに保存する。ネットワークを介してＭＦＰにアクセスし、ＭＦＰに含まれるリモートＵＩを用いて、ＭＦＰに対して上述のファイルを指定して同報返信の指示を行なうだけで、自動的に指定する同報宛先に対してデータを返信することができる。
【０１２２】
なお、上述のリモートＵＩを備え、ＭＦＰに対して同報返信の指示を行なう装置は、ＭＦＰ以外の、サーバなどのネットワーク機器であってもよい。その場合、ＭＦＰは、リモートＵＩを備えなくてもよい。
【０１２３】
ユーザはリモートＵＩを備えるサーバなどのネットワーク機器にアクセスする。リモートＵＩを備えるサーバなどは、上述の処理と同様の処理を行ない、ＭＦＰに対して同報返信の指示を行なうことができる。
【０１２４】
また、リモートＵＩによって、サーバが、同報返信を行なう画像データと同報宛先を読出し、同報送信を行なってもよい。
【０１２５】
［第３の実施の形態］
第３の実施の形態におけるネットワークシステムの構成は、図１に示された構成と同様である。また、図１に示されたネットワークシステムを構成するスキャナ１００、ファクシミリ４００、インターネットファクシミリ５００、ＰＣ６００、ＰＣ６１０、およびＰＣ６２０のハードウェア構成は、図２〜図５に示されたハードウェア構成と同様である。そのため、ここでの説明は繰返さない。
【０１２６】
なお、本実施の形態において、ＰＣ６１０は、第１および第２の実施の形態と同様にＳＭＢ共有フォルダを有する。さらにＰＣ６１０は、ＰＣ６００と同様に、ＲＯＭにメーラを有する。
【０１２７】
また、スキャナ１００もＲＯＭ１０２にメーラを有し、電子メールの送受信が可能である。
【０１２８】
図１５に、本実施の形態のネットワークシステムにおいて、スキャナ１００が行なう同報送信の処理を表わすフローチャートを示す。
【０１２９】
図１５を参照して、ユーザは、スキャナ１００から、複数の相手に対して画像データを同報送信する場合、画像データを送信する複数の宛先を同報送信先として指定し、画像送信指示を行なう（Ｓ７０）。ステップＳ７０での処理は、図６のステップＳ１０における処理と同様であるため、ここでは詳細な説明を繰返さない。
【０１３０】
ステップＳ７０で、ユーザからスキャナ１００に対して画像送信の指示が行なわれると（Ｓ７０でＹｅｓ）、スキャナ１００のＣＰＵ１０１は、ユーザから指定された同報送信先の宛先にＳＭＢが含まれているか否かを判断する（Ｓ７１）。
【０１３１】
ステップＳ７０で指定された同報送信先に、ＰＣ６１０の有するＳＭＢ共有フォルダが含まれており、ＳＭＢ共有フォルダに送信する場合（Ｓ７１でｔｏ  ＳＭＢ）、スキャナ１００は、指定された宛先のＳＭＢ共有フォルダに、読取部１０６で読取った画像データを書込む。同時に、予め指定された、ＰＣ６１０の電子メールのアドレスに対して、ログファイルを送信する（Ｓ７２）。
【０１３２】
ステップＳ７２で送信されるＰＣ６１０の電子メールのアドレスは、予め、スキャナ１００の操作部１０５より入力され、記憶部１０３に記憶されている。また、ステップＳ７０で、画像送信の指示と同時に、アドレスが送信されてもよい。
【０１３３】
ステップＳ７２では、図８に示されるログファイルを、電子メールに書込んでＰＣ６１０に送信してもよいし、添付して送信してもよい。
【０１３４】
ユーザはステップＳ７２でスキャナ１００から送信された電子メールを受信することで、ＰＣ６１０のＳＭＢ共有フォルダに書込みがあったことを知ることができる。
【０１３５】
ステップＳ７０で指定された、ＳＭＢ共有フォルダ以外の同報送信先に送信する場合（Ｓ７１でｏｔｈｅｒｓ）、スキャナ１００は、ステップＳ７０で指定された同報送信先に、それぞれの宛先に対応した画像データの送信を行なう（Ｓ７３）。
【０１３６】
さらに図１６に、ユーザが上述の処理でスキャナ１００から送信された画像データなどのファイルの送信宛先に対して同報返信を行なう場合の、スキャナ１００が行なう同報返信の処理を表わすフローチャートを示す。
【０１３７】
図１６を参照して、ユーザは、ネットワーク機器を用いて、返信するデータを含むファイルの、ファイル名やネットワーク上でファイルが記憶されている場所などを指定して、電子メールにて、スキャナ１００に画像返信の指示を行なう（Ｓ８０）。ステップＳ８０での処理は、図９のステップＳ２０における処理と同様であるため、ここでは詳細な説明を繰返さない。
【０１３８】
ステップＳ８０の画像返信指示が、ＳＭＢ共有フォルダに記憶されているファイルを指定して返信を行なう指示であった場合（Ｓ８１でｔｏ  ＳＭＢ）、スキャナ１００のＣＰＵ１０１は、電子メールに記述されたアドレスから、ＳＭＢ共有フォルダに記憶されているファイルに含まれる、返送するデータを読出す。スキャナ１００は、読出したデータを、電子メールに添付されたログファイルに記述された送信宛先に送信する（Ｓ８２）。
【０１３９】
ステップＳ８０の画像返信指示が、ＳＭＢ共有フォルダ以外に記憶されている画像データを含むファイルを指定して返信を行なう指示であった場合（Ｓ８１でｏｔｈｅｒｓ）、ステップＳ８０で指定されたそれぞれの同報返送の宛先に対応した画像データの送信を行なう（Ｓ８３）。
【０１４０】
上述のスキャナ１００を含むデータ送信装置であるＭＦＰをネットワークシステムに用いることで、ユーザは、同報送信を行なう際、用いるネットワーク機器に同報返信用アプリケーションが含まれていない場合であって、かつＭＦＰにリモートＵＩが含まれていない場合であっても、電子メールを用いて同報返送の指示を行なうことができる。
【０１４１】
なお、上述の電子メールを受信し同報返信を行なう装置は、ＭＦＰ以外の、電子メール送受信機能を備えるサーバなどのネットワーク機器であってもよい。その場合、ＭＦＰは、電子メールの送受信を行なうメーラや送受信機能を備えなくてもよい。
【０１４２】
ユーザは電子メール送受信機能を備えるサーバなどのネットワーク機器に上述の電子メールを送信する。サーバなどは、上述の処理と同様の処理を行ない、ＭＦＰに対して同報返信の指示を行なうことができる。
【０１４３】
また、受信した電子メールに記述されたアドレスから、サーバが、同報返信を行なう画像データと同報宛先を読出し、同報送信を行なってもよい。
【０１４４】
［第４の実施の形態］
第４の実施の形態におけるネットワークシステムの構成は、図１に示された構成と同様である。また、図１に示されたネットワークシステムを構成するスキャナ１００、ファクシミリ４００、インターネットファクシミリ５００、ＰＣ６００、ＰＣ６１０、およびＰＣ６２０のハードウェア構成は、図２〜図５に示されたハードウェア構成と同様である。そのため、ここでの説明は繰返さない。
【０１４５】
なお、本実施の形態において、ＰＣ６１０は、第１〜３の実施の形態と同様にＳＭＢ共有フォルダを有する。さらにＰＣ６１０は、第３の実施の形態と同様に、ＲＯＭにメーラを有する。
【０１４６】
図１７に、本実施の形態のネットワークシステムにおいて、スキャナ１００が行なう同報送信の処理を表わすフローチャートを示す。
【０１４７】
図１７を参照して、ユーザは、スキャナ１００から、複数の相手に対して画像データを同報送信する場合、画像データを送信する複数の宛先を同報送信先として指定し、画像送信指示を行なう（Ｓ９０）。ステップＳ９０での処理は、図６のステップＳ１０における処理と同様であるため、ここでは詳細な説明を繰返さない。
【０１４８】
ステップＳ９０で、ユーザからスキャナ１００に対して画像送信の指示が行なわれると（Ｓ９０でＹｅｓ）、スキャナ１００のＣＰＵ１０１は、ユーザから指定された同報送信先の宛先にＳＭＢが含まれているか否かを判断する（Ｓ９１）。
【０１４９】
ステップＳ９０で指定された同報送信先に、ＰＣ６１０の有するＳＭＢ共有フォルダが含まれており、ＳＭＢ共有フォルダに送信する場合（Ｓ９１でｔｏ  ＳＭＢ）、スキャナ１００は、ステップＳ９０でユーザから指定された同報送信先の宛先のプロトコルとアドレスとを電子メールのアドレスに自動的に変換する（Ｓ９２）。
【０１５０】
ステップＳ９２で変換する電子メールアドレスについては、後に説明を行なう。
【０１５１】
さらにスキャナ１００は、指定された宛先のＳＭＢ共有フォルダに、読取部１０６で読取った画像データを書込む。同時に、予め指定された、ＰＣ６１０の電子メールのアドレスに対して、ログファイルを送信する（Ｓ９３）。
【０１５２】
ステップＳ９３で送信されるＰＣ６１０の電子メールのアドレスは、図１５のステップＳ７２で送信されるＰＣ６１０の電子メールのアドレスと同様にして記憶されるため、ここでの詳細な説明は繰返さない。
【０１５３】
ユーザはステップＳ７２でスキャナ１００から送信された電子メールを受信することで、ＰＣ６１０のＳＭＢ共有フォルダに書込みがあったことを知ることができる。
【０１５４】
ステップＳ９０で指定された、ＳＭＢ共有フォルダ以外の同報送信先に送信する場合（Ｓ９１でｏｔｈｅｒｓ）、スキャナ１００は、ステップＳ９０で指定された同報送信先に、それぞれの宛先に対応した画像データの送信を行なう（Ｓ９４）。
【０１５５】
図１８に、図１７のステップＳ９２で、スキャナ１００が行なう、同報送信先の宛先のプロトコルとアドレスから電子メールのアドレスへの変換の具体例を示す。
【０１５６】
図１８を参照して、スキャナ１００は、
変換式：＃プロトコル＃プロトコル用アドレス＃送信デバイス電子メール用アドレス
に従って、自動的に同報送信先の宛先のプロトコルとアドレスとを電子メールのアドレスへ変換する。
【０１５７】
また、この他の変換式に従って変換してもよい。
さらに図１９に、ユーザが、上述の処理でスキャナ１００から送信された画像データなどのファイルの送信宛先に対して同報返信を行なう場合の、スキャナ１００が行なう同報返信の処理を表わすフローチャートを示す。
【０１５８】
図１９を参照して、ユーザは、ネットワーク機器を用いて、返信するデータを含むファイルの、ファイル名やネットワーク上でファイルが記憶されている場所などを指定して、電子メールにて、スキャナ１００に画像返信の指示を行なう（Ｓ１００）。ステップＳ１００での指示については、後に説明を行なう。
【０１５９】
ステップＳ１００の画像返信指示が、ＳＭＢ共有フォルダに記憶されているファイルを指定して返信を行なう指示であった場合（Ｓ１０１でｔｏ  ＳＭＢ）、スキャナ１００は、ステップＳ１００でユーザから指定された同報返信先の宛先の電子メールのアドレスから、プロトコルとアドレスとに自動的に変換する（Ｓ１０２）。
【０１６０】
さらにスキャナ１００のＣＰＵ１０１は、同報返信の指示の電子メールに記述されたアドレスから、ＳＭＢ共有フォルダに記憶されているファイルに含まれる、返送するデータを読出す。スキャナ１００は、ステップＳ１０２で電子メールのアドレスから変換した同報返信先の宛先のプロトコルのアドレスに、読出したデータを送信する（Ｓ１０３）。
【０１６１】
ステップＳ１００の画像返信指示が、ＳＭＢ共有フォルダ以外に記憶されている画像データを含むファイルを指定して返信を行なう指示であった場合（Ｓ１０１でｏｔｈｅｒｓ）、ステップＳ１００で指定されたそれぞれの同報返送の宛先に対応した画像データの送信を行なう（Ｓ１０４）。
【０１６２】
また、図２０に、図１９のステップＳ１００で、ユーザがＰＣ６１０を用い、ＳＭＢ共有フォルダに記憶されているファイルを指定して、スキャナ１００に返信の指示を行なう（ステップＳ１０１でｔｏ  ＳＭＢの場合）とき、送信されるデータの具体例を示す。図１９に示されるデータは、電子メールにてスキャナ１００に送信される。
【０１６３】
受信したスキャナ１００は、図１９のステップＳ１０２で、図２０に示された同報返信先の宛先の電子メールのアドレスから、同報返信先の宛先のプロトコルとアドレスとへ変換する。図９のステップＳ１０２での変換処理は、図１７のステップＳ９２における処理と逆の処理であるため、ここでの説明は繰返さない。図２０に示された同報返信先の宛先の電子メールのアドレスは、図１８に示された同報返信先の宛先のプロトコルとアドレスとに変換される。
【０１６４】
上述のスキャナ１００を含むデータ送信装置であるＭＦＰをネットワークシステムに用いることで、ユーザは、ＳＭＢフォルダを用いて、電子メールを受取る要領で、ＭＦＰからデータと同報送信先のアドレスを得ることができる。
【０１６５】
さらに同報送信を行なう際、ユーザは、用いるネットワーク機器に同報返信用アプリケーションが含まれていない場合であっても、受信した電子メールに同報返信を行なう要領で、ＭＦＰに電子メールを用いて同報返信の指示を行ない、ＳＭＢフォルダに記憶させたデータの同報返信を行なうことが可能である。
【０１６６】
なお、上述の電子メールを受信し同報返信を行なう装置は、ＭＦＰ以外の、電子メール送受信機能を備えるサーバなどのネットワーク機器であってもよい。その場合、ＭＦＰは、電子メールの送受信を行なうメーラや送受信機能を備えなくてもよい。
【０１６７】
上述の電子メール送受信機能を備えるサーバなどのネットワーク機器は、同報送信を行なう場合、上述の処理と同様の処理を行ない、ユーザに同報送信先の電子メールのアドレスを通知する。また、同報返信を行なう場合、ユーザからの指示を受信し、ＭＦＰに対して同報返信の指示を行なう。
【０１６８】
また、受信した電子メールに記述されたアドレスから、サーバが、同報返信を行なう画像データと同報宛先を読出し変換し、同報送信を行なってもよい。
【０１６９】
なお、以上の実施の形態においては、ＭＦＰであるデータ送信装置としてスキャナを用いて画像データの送信について説明を行なったが、その他、文字データや音声データなどの送信機能を持つデータ送信装置であっても構わない。
【０１７０】
また、以上の実施の形態においては、ファイル共有プロトコルとしてＳＭＢプロトコルを用いて説明を行なったが、ＳＭＢプロトコルにかえて、ＳＭＢプロトコルと同様のファイル共有機能を備える他のプロトコルであっても構わない。
【０１７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  第１の実施の形態におけるＭＦＰであるデータ送信装置を用いたネットワークシステムを示す図である。
【図２】  図１に示された、スキャナ１００のハードウェア構成を示すブロック図である。
【図３】  図１に示された、ファクシミリ４００のハードウェア構成を示すブロック図である。
【図４】  図１に示された、インターネットファクシミリ５００のハードウェア構成を示すブロック図である。
【図５】  図１に示された、ＰＣ６００のハードウェア構成を示すブロック図である。
【図６】  図１〜図５に示されたネットワークシステムにおいて、スキャナ１００が行なう同報送信の処理を表わすフローチャートである。
【図７】  図６のステップＳ１０で、ユーザがスキャナ１００に画像送信指示を行なう時の画面の具体例を示す図である。
【図８】  図６のステップＳ１２でスキャナ１００がＳＭＢ共有フォルダに書込むログファイルの具体例を示す図である。
【図９】  図１〜図５に示されたネットワークシステムにおいて、スキャナ１００が行なう同報返信の処理を表わすフローチャートである。
【図１０】  ＰＣ６１０のＲＯＭに常駐するＳＭＢ同報返信アプリケーションが行なう処理について表わすフローチャートである。
【図１１】  図９のステップＳ２０でＳＭＢ同報返信アプリケーションによって、スキャナ１００に画像返信の要求を行なう処理について表わすフローチャートである。
【図１２】  図１１のステップＳ４１で、ＰＣ６１０の表示部に表示される同報宛先の一覧を示す画面の具体例を示す図である。
【図１３】  第２の実施の形態のネットワークシステムにおいて、スキャナ１００が行なう同報返信の処理を表わすフローチャートである。
【図１４】  図１３のステップＳ５１において、スキャナ１００のリモートＵＩが行なう処理について表わすフローチャートである。
【図１５】  第３の実施の形態のネットワークシステムにおいて、スキャナ１００が行なう同報送信の処理を表わすフローチャートである。
【図１６】  ユーザが、スキャナ１００から送信された画像データなどのファイルの送信宛先に対して同報返信を行なう場合の、スキャナ１００が行なう同報返信の処理を表わすフローチャートである。
【図１７】  第４の実施の形態のネットワークシステムにおいて、スキャナ１００が行なう同報送信の処理を表わすフローチャートである。
【図１８】  図１７のステップＳ９２で、スキャナ１００が行なう、同報送信先の宛先のプロトコルとアドレスから電子メールのアドレスへの変換の具体例を示す図である。
【図１９】  ユーザが、上述の処理でスキャナ１００から送信された画像データなどのファイルの送信宛先に対して同報返信を行なう場合の、スキャナ１００が行なう同報返信の処理を表わすフローチャートである。
【図２０】  図１９のステップＳ１００で、ユーザがＰＣ６１０を用い、ＳＭＢ共有フォルダに記憶されているファイルを指定して、スキャナ１００に返信の指示を行なうとき、送信されるデータの具体例を示す図である。
【図２１】  従来よりある、同報送信機能を備えるＭＦＰの１つであるスキャナが、一般的に行なう同報送信の処理を示すフローチャートである。
【図２２】  従来よりある、電子メールの送受信機能を備えるパーソナルコンピュータなどのＭＦＰが、一般的に行なう同報返信の処理を示すフローチャートである。
【符号の説明】
１００  スキャナ、１０１  スキャナのＣＰＵ、１０２  スキャナのＲＯＭ、１０３  スキャナの記憶部、１０４  スキャナの表示部、１０５  スキャナの操作部、１０６  スキャナの読取部、１０７，１０８  スキャナのインタフェースＩ／Ｆ、２００，３００  回線、４００  ファクシミリ、４０１  ファクシミリのＣＰＵ、４０２  ファクシミリのＲＯＭ、４０３  ファクシミリの記憶部、４０４  ファクシミリの印刷部、４０５  ファクシミリのインタフェースＩ／Ｆ、４０６  ファクシミリの読取部、５００  インターネットファクシミリ、５０１インターネットファクシミリのＣＰＵ、５０２  インターネットファクシミリのＲＯＭ、５０３  インターネットファクシミリの記憶部、５０４  インターネットファクシミリの印刷部、５０５  インターネットファクシミリのインタフェースＩ／Ｆ、５０６  インターネットファクシミリの読取部、６００  パーソナルコンピュータ、６０１  パーソナルコンピュータのＣＰＵ、６０２  パーソナルコンピュータのＲＯＭ、６０３  パーソナルコンピュータの記憶部、６０４  パーソナルコンピュータの表示部、６０５  パーソナルコンピュータのインタフェースＩ／Ｆ、６０６  パーソナルコンピュータの操作部、６１０，６２０  パーソナルコンピュータ。
【図１】
0003665873.tif 000002
【図２】
0003665873.tif 000003
【図３】
0003665873.tif 000004
【図４】
0003665873.tif 000005
【図５】
0003665873.tif 000006
【図６】
0003665873.tif 000007
【図７】
0003665873.tif 000008
【図８】
0003665873.tif 000009
【図９】
0003665873.tif 000010
【図１０】
0003665873.tif 000011
【図１１】
0003665873.tif 000012
【図１２】
0003665873.tif 000013
【図１３】
0003665873.tif 000014
【図１４】
0003665873.tif 000015
【図１５】
0003665873.tif 000016
【図１６】
0003665873.tif 000017
【図１７】
0003665873.tif 000018
【図１８】
0003665873.tif 000019
【図１９】
0003665873.tif 000020
【図２０】
0003665873.tif 000021
【図２１】
0003665873.tif 000022
【図２２】
0003665873.tif 000023